(57)【要約】【課題】描画部がオフしたときに描画部へ向けて差動伝送路に不要な電流が流れることを確実に防止する画像形成装置を提供する。【解決手段】本発明の画像形成装置は、画像制御部２１と、描画部２２と、差動伝送路２３と、画像形成部３０と、を有する。画像制御部２１は、印刷用画像データを生成する。描画部２２は、印刷用画像データに基づいて印刷画像の描画信号を生成する。差動伝送路２３は、一対の信号線を備え、画像制御部に設置された送信素子から描画部に設置された受信素子へ印刷用画像データを伝送する。画像形成部３０は、描画信号に基づいて用紙に印刷画像を印刷する。描画部２３は、画像制御部２１の電源部２１１とは独立にオン／オフ制御される電源部２２１を備え、画像制御部２１は、画像形成部３０が印刷中であるとき印刷用画像データに応じて送信素子２１３から論理レベル０または１を出力する一方で、画像形成部３０が印刷中ではないとき送信素子２１３をハイインピーダンス状態にする。【選択図】図２
2014000693.tif 000002
【特許請求の範囲】
【請求項１】
印刷用画像データを生成する画像制御部と、
前記印刷用画像データに基づいて印刷画像の描画信号を生成する描画部と、
一対の信号線を備え、前記画像制御部に設置された送信素子から前記描画部に設置された受信素子へ前記印刷用画像データを伝送する差動伝送路と、
前記描画信号に基づいて用紙に前記印刷画像を印刷する画像形成部と、を有し、
前記描画部は、前記画像制御部の電源部とは独立にオン／オフ制御される電源部を備え、
前記画像制御部は、前記画像形成部が印刷中であるとき前記印刷用画像データに応じて前記送信素子から論理レベル０または１を出力する一方で、前記画像形成部が印刷中ではないとき前記送信素子をハイインピーダンス状態にする、画像形成装置。
【請求項２】
前記画像制御部は、前記画像形成部が印刷を開始するときにアクティブとなる印刷開始信号と前記画像形成部が印刷を終了するときにアクティブとなる印刷終了信号とに基づいて前記画像形成部が印刷中であるか否かを検出することを特徴とする請求項１に記載の画像形成装置。
【請求項３】
前記印刷開始信号および印刷終了信号は、前記印刷画像の１ページに相当する期間毎にアクティブになることを特徴とする請求項１または２に記載の画像形成装置。
【請求項４】
前記印刷開始信号および印刷終了信号は、前記印刷画像の１以上のラインに相当する期間毎にアクティブになることを特徴とする請求項１または２に記載の画像形成装置。
【請求項５】
前記描画部の電源部は、前記画像制御部の電源部が供給する電源電圧をスイッチングすることによって電源電圧を供給することを特徴とする請求項１〜４のいずれか１項に記載の画像形成装置。
【請求項６】
前記送信素子および受信素子は、スリーステートバッファであり、
前記画像制御部は、前記送信素子、前記受信素子、および前記差動伝送路で構成されるＬＶＤＳで前記描画部へ前記印刷用画像データを伝送することを特徴とする請求項１〜５のいずれか１項に記載の画像形成装置。
【発明の詳細な説明】
【技術分野】
【０００１】
本発明は、画像形成装置に関する。
【背景技術】
【０００２】
近年、画像形成装置の消費電力を削減するための技術開発が進められている。たとえば、画像形成装置で消費される電力のうちの待機電力を削減することを目的として、画像形成装置を構成する多数のモジュールの中で待機状態にあるモジュールの電源を選択的にオフする技術が知られている。このような技術を適用した具体例としては、たとえば以下のようなものがある。
【０００３】
画像形成装置を構成する上記多数のモジュールには、印刷画像の描画信号を生成する画像処理部、当該描画信号に基づいて実際に用紙に印刷画像を印刷する画像形成部などが含まれる。そして、画像処理部には、印刷用画像データを生成する画像制御部、当該印刷用画像データに基づいて印刷画像の描画信号を生成する描画部、画像制御部の送信素子と描画部の受信素子との間で印刷用画像データを伝送する差動伝送路などが含まれる。画像制御部および描画部は、互いに独立してオン／オフ制御される電源部をそれぞれ備え、描画部は待機しているとき電源がオフするように制御される。これにより、待機電力が削減される。
【０００４】
ところが、画像制御部の電源がオンであるときに描画部の電源がオフされると、オン状態の画像制御部からオフ状態の描画部へ向けて差動伝送路に不要な電流が流れて、描画部に設置された受信素子を損傷させるおそれがある。
【０００５】
これに関連して、装置に供給される電源電圧を監視し、当該電源電圧が所定の閾値を下回った場合、電源がオフされたと判断して、装置の構成要素に電源がオフされた旨を通知する技術が知られている（たとえば、下記の特許文献１を参照。）。特許文献１に記載の技術を参照すれば、描画部の電源電圧を監視し、当該電源電圧が所定の閾値を下回った場合、画像制御部に描画部の電源がオフされた旨を通知することが考えられる。そして、この通知を受けて画像制御部が、たとえば画像制御部と描画部との間の接続を遮断することにより不要な電流が描画部へ向けて差動伝送路に流れるのを防止することが考えられる。
【０００６】
しかしながら、特許文献１のような技術を利用して、描画部の電源電圧が所定の閾値を下回ったか否かを判定し、電源電圧が所定の閾値を下回った場合に画像制御部にその旨を通知していたのでは、不要な電流が流れ始めるタイミングに間に合わない可能性がある。その結果、不要な電流が流れてしまい、描画部の受信素子を損傷させうる問題がある。また、装置の電源電圧は、オン状態からオフ状態に移行する際に、接続されている負荷の状態によって緩やかに低下する場合もあるし、急激に低下する場合もあるので、上記描画部の電源電圧に関する閾値を適切に決めることが困難であるという問題もある。
【先行技術文献】
【特許文献】
【０００７】
【特許文献１】特開２０１１−２２４８６５号公報
【発明の概要】
【発明が解決しようとする課題】
【０００８】
本発明は上述の問題を鑑みてなされたものである。したがって、本発明の目的は、描画部がオフしたときに画像制御部から描画部へ向けて差動伝送路に不要な電流が流れることを確実に防止する画像形成装置を提供することである。
【課題を解決するための手段】
【０００９】
本発明の上記目的は、下記の手段によって達成される。
【００１０】
（１）印刷用画像データを生成する画像制御部と、前記印刷用画像データに基づいて印刷画像の描画信号を生成する描画部と、一対の信号線を備え、前記画像制御部に設置された送信素子から前記描画部に設置された受信素子へ前記印刷用画像データを伝送する差動伝送路と、前記描画信号に基づいて用紙に前記印刷画像を印刷する画像形成部と、を有し、前記描画部は、前記画像制御部の電源部とは独立にオン／オフ制御される電源部を備え、前記画像制御部は、前記画像形成部が印刷中であるとき前記印刷用画像データに応じて前記送信素子から論理レベル０または１を出力する一方で、前記画像形成部が印刷中ではないとき前記送信素子をハイインピーダンス状態にする、画像形成装置。
【００１１】
（２）前記画像制御部は、前記画像形成部が印刷を開始するときにアクティブとなる印刷開始信号と前記画像形成部が印刷を終了するときにアクティブとなる印刷終了信号とに基づいて前記画像形成部が印刷中であるか否かを検出することを特徴とする上記（１）に記載の画像形成装置。
【００１２】
（３）前記印刷開始信号および印刷終了信号は、前記印刷画像の１ページに相当する期間毎にアクティブになることを特徴とする上記（１）または（２）に記載の画像形成装置。
【００１３】
（４）前記印刷開始信号および印刷終了信号は、前記印刷画像の１以上のラインに相当する期間毎にアクティブになることを特徴とする上記（１）または（２）に記載の画像形成装置。
【００１４】
（５）前記描画部の電源部は、前記画像制御部の電源部が供給する電源電圧をスイッチングすることによって電源電圧を供給することを特徴とする上記（１）〜（４）のいずれか１つに記載の画像形成装置。
【００１５】
（６）前記送信素子および受信素子は、スリーステートバッファであり、前記画像制御部は、前記送信素子、前記受信素子、および前記差動伝送路で構成されるＬＶＤＳで前記描画部へ前記印刷用画像データを伝送することを特徴とする上記（１）〜（５）のいずれか１つに記載の画像形成装置。
【発明の効果】
【００１６】
本発明によれば、画像形成部が印刷中ではないとき画像制御部は送信素子をハイインピーダンス状態にするので、描画部がオフしたときに画像制御部から描画部へ向けて差動伝送路に不要な電流が流れることを確実に防止できる。したがって、描画部の受信素子が損傷することを防止できる。また、差動伝送路に不要な電流が流れないので、画像形成装置の消費電力を削減することができる。
【図面の簡単な説明】
【００１７】
【図１】本発明の第１の実施形態の画像形成装置の機能的な構成を示す概略ブロック図である。
【図２】図１に示す画像処理部の機能的な構成を示す概略ブロック図である。
【図３Ａ】図２に示す画像制御部の動作の一例を説明するためのタイミングチャートである。
【図３Ｂ】図２に示す画像制御部の動作の他の例を説明するためのタイミングチャートである。
【図４】本発明の第２の実施形態の画像形成装置における画像処理部の機能的な構成を示す概略ブロック図である。
【発明を実施するための形態】
【００１８】
以下、添付した図面を参照しながら、本発明の実施形態を説明する。なお、図面の説明において同一の要素には同一の符号を付し、重複する説明を省略する。
【００１９】
（第１の実施形態）
図１は本発明の第１の実施形態の画像形成装置の機能的な構成を示す概略ブロック図である。
【００２０】
本実施形態の画像形成装置は、複写機、ファクシミリ、プリンター、複合機などでありうる。以下では、画像形成装置として複写機を例示してその主要な構成を中心に説明し、従来の複写機と同様の構成については説明を省略する場合がある。
【００２１】
図１に示すとおり、本実施形態の画像形成装置１は、画像読取部１０、画像処理部２０、画像形成部３０、操作部４０、表示部５０、通信インターフェース６０、および制御部７０を有する。これらの構成要素は、バス８０を介して相互に通信可能に接続されている。
【００２２】
画像読取部１０は、原稿を光学的に読取り、複数色に色分解された画像（たとえばＲＧＢ画像）を取得する。画像読取部１０は、光源、光学系、イメージセンサー、およびアナログ・ディジタル変換回路を有する。画像読取部１０において、光源は、（Ｒ，Ｇ，Ｂ）各色の光を原稿に順次照射する。光学系は複数のミラーおよび結像レンズを有しており、原稿からの反射光は光学系のミラーおよび結像レンズを通じてイメージセンサーに結像される。イメージセンサーは、（Ｒ，Ｇ，Ｂ）各色に対応する反射光をラインごとに読取り、原稿からの反射光強度に応じて電気信号を生成する。生成された電気信号は、アナログ・ディジタル変換回路において、アナログ信号からディジタル信号に変換され、画像データ信号として画像処理部２０に伝達される。
【００２３】
画像処理部２０は、印刷用画像データを生成し、当該印刷用画像データに基づいて印刷画像の描画信号を生成する。生成された描画信号は画像形成部３０に送信される。画像処理部２０についての詳細は後述する。
【００２４】
画像形成部３０は、画像処理部２０で生成された描画信号に基づいて、給紙トレイから供給された用紙に印刷画像を印刷する。本実施形態では、画像形成部３０は、電子写真プロセスにより印刷画像を用紙に印刷する。より具体的には、画像形成部３０は、感光体ドラムを帯電させ、画像処理部２０で生成された描画信号に基づいてレーザー光により感光体ドラム上に静電潜像を形成する。そして、感光体ドラム上の静電潜像にトナーを付着させてトナー画像を形成し、感光体ドラム上のトナー画像を転写ベルトにより用紙に転写し、用紙に転写されたトナー画像を定着ローラーで加熱および加圧して定着させる。トナー画像が定着された用紙は、排紙トレイから排出される。
【００２５】
操作部４０は、ユーザーからの指示を受け付け、制御部７０に送信する。操作部４０は、たとえば、押しボタンスイッチ、タッチパネルなどの入力装置を備える。たとえば、ユーザーは、操作部４０の押しボタンスイッチを押すことにより、画像形成装置１に原稿の複写を指示する。
【００２６】
表示部５０は、画像形成部３０による印刷処理に関する設定内容や、ユーザーに注意を喚起するための各種メッセージなどを表示する。表示部５０は、たとえば、液晶パネルディスプレイ、ＬＥＤなどを備える。
【００２７】
通信インターフェース６０は、ネットワークを介して画像形成装置１に接続されたクライアント端末などと通信するためのインターフェースである。
【００２８】
制御部７０は、画像読取部１０、画像処理部２０、画像形成部３０、操作部４０、表示部５０、および通信インターフェース６０を制御し、画像形成装置１の複写機としての機能を実現させる。また、本実施形態では、制御部７０は、待機電力を削減するため、待機状態のモジュールの電源をオフする制御を実行する。
【００２９】
制御部７０は、ＣＰＵ（Ｃｅｎｔｒａｌ  Ｐｒｏｃｅｓｓｉｎｇ  Ｕｎｉｔ）および記憶部を有する。記憶部は、ハードディスクドライブ、ＲＯＭ（Ｒｅａｄ  Ｏｎｌｙ  Ｍｅｍｏｒｙ）、およびＲＡＭ（Ｒａｎｄｏｍ  Ａｃｃｅｓｓ  Ｍｅｍｏｒｙ）を備える。ハードディスクドライブまたはＲＯＭには、画像読取部１０、画像処理部２０、画像形成部３０、操作部４０、表示部５０、および通信インターフェース６０を制御するためのソフトウェアプログラムが記憶されている。また、ＲＡＭには、ソフトウェアプログラムがＣＰＵによって実行される際にロードされるほか、各種演算結果などのデータが一時的に記憶される。
【００３０】
次に、図２を参照して、本発明の第１の実施形態における画像形成装置の画像処理部についてより詳しく説明する。図２は図１に示す画像処理部の機能的な構成を示す概略ブロック図である。
【００３１】
画像処理部２０は、画像制御部２１、描画部２２、および差動伝送路２３を有する。画像制御部２１は、電源部２１１、タイミング制御部２１２、送信素子２１３、および送信制御部２１４を備える。また、描画部２２は、電源部２２１および受信素子２２２を備える。送信素子２１３および受信素子２２２は、一対の信号線を備える差動伝送路２３によって電気的に接続される。
【００３２】
画像制御部２１は、印刷用画像データを生成し、描画部２２に送信する。画像制御部２１は、画像読取部１０から受信した画像データ信号に基づいて印刷用画像データを生成する。画像データ信号に基づいて印刷用画像データを生成する構成については、従来の構成と同じであるので、その説明を省略する。
【００３３】
電源部２１１は、タイミング制御部２１２、送信素子２１３、および送信制御部２１４を含む、画像制御部２１の各構成要素に対して電源電圧ＶＣＣＡおよびＧＮＤＡを供給する。ＶＣＣＡの値は正であり、かつＧＮＤＡの値よりも大きい。なお、原稿の読取りがいつ開始されるかについて、画像制御部２１は予測することができない。したがって、画像形成装置１の主電源がオンされているとき、電源部２１１は、画像形成部３０の印刷中、非印刷中にかかわらず常時オンされている必要がある。
【００３４】
タイミング制御部２１２は、印刷用画像データの出力タイミングを制御する。タイミング制御部２１２は、印刷用画像データ、水平同期信号、および垂直同期信号を入力し、水平同期信号および垂直同期信号で出力タイミング調整された印刷用画像データを出力する。出力タイミング調整された印刷用画像データは、送信素子２１３の入力端子に伝達される。
【００３５】
送信素子２１３は、たとえば差動出力端子を有するスリーステートバッファであり、論理レベル０または１を有する印刷用画像データを入力する入力端子と、印刷用画像データを出力する差動出力端子と、出力を制御するコントロール端子とを備える。送信素子２１３は、コントロール端子に印加された論理レベルに応じて、入力端子に入力された印刷用画像データを差動出力端子に出力するか、あるいは差動出力端子をハイインピーダンス（Ｈｉ−Ｚ）状態にする。本実施形態では、コントロール端子に印加された論理レベルが１のとき入力端子に入力された印刷用画像データを差動出力端子に出力し、コントロール端子に印加された論理レベルが０のとき差動出力端子をハイインピーダンス状態にする。送信素子２１３の差動出力端子から出力された論理レベル０または１は、差動伝送路２３を介して受信素子２２２の差動入力端子に伝送される。
【００３６】
本実施形態では、画像制御部２１は、送信素子２１３、受信素子２２２、および差動伝送路２３で構成されるＬＶＤＳ（Ｌｏｗ  Ｖｏｌｔａｇｅ  Ｄｉｆｆｅｒｅｎｔｉａｌ  Ｓｉｇｎａｌｉｎｇ）で描画部２２へ印刷用画像データを伝送する。しかしながら、差動伝送する方法は、ＬＶＤＳに限定されず他の差動伝送方法を使用してもよい。画像制御部２１と描画部２２との間で印刷用画像データを差動伝送することにより、印刷用画像データへのノイズの影響を軽減することができる。その結果、差動伝送せずにシングルエンドで伝送する場合に比べて画像制御部２１と描画部２２との間の距離を長くすることが可能となる。
【００３７】
送信制御部２１４は、送信素子２１３の出力を制御するための送信制御信号を生成する。送信制御部２１４は、印刷開始信号および印刷終了信号を入力し、印刷開始信号および印刷終了信号に基づいて送信制御信号を出力する。具体的には、送信制御信号は、印刷開始信号がアクティブになってから印刷終了信号がアクティブになるまでの期間にアクティブになる。生成された送信制御信号は、送信素子２１３のコントロール端子に伝達される。
【００３８】
印刷開始信号は、画像形成装置３０の印刷開始を通知する信号である。画像制御部２１は、たとえば画像形成部３０の感光体ドラム、定着部、搬送部などの各構成要素の稼働状態に基づいて生成される信号に基づいて印刷開始信号をアクティブにする。
【００３９】
また、印刷終了信号は、画像形成装置３０の印刷終了を通知する信号である。画像制御部２１は、送信素子２１３から出力される印刷用画像データ数をカウントし、所定のデータ数に達したときに印刷終了信号をアクティブにする。所定のデータ数は、たとえば印刷画像１ページ分のデータ数であってもよいし、印刷画像２ページ以上のデータ数であってもよい。あるいは、印刷画像１以上のラインに相当するデータ数であってもよい。
【００４０】
このように、画像制御部２１は、画像形成部３０が印刷を開始するときにアクティブとなる印刷開始信号と画像形成部３０が印刷を終了するときにアクティブとなる印刷終了信号とに基づいて画像形成部３０が印刷中であるか否かを検出する。そして、画像制御部２１は、その検出結果に基づいて描画部２２へ印刷用画像データを出力するか、あるいはハイインピーダンスを出力するかを制御する。
【００４１】
描画部２２は、画像制御部２１で生成された印刷用画像データに基づいて印刷画像の描画信号を生成する。本実施形態では、電子写真プロセスにより印刷画像を用紙に印刷するため、描画部２２は、レーザー光により感光体ドラム上に静電潜像を形成するための発光信号を描画信号として生成する。
【００４２】
電源部２２１は、受信素子２２２を含む、描画部２２の各構成要素に対して電源電圧ＶＣＣＢおよびＧＮＤＢを供給する。ＶＣＣＢは正の値であり、かつＧＮＤＢの値よりも大きい。電源部２２１は、画像制御部２１の電源部２１１とは独立にオン／オフ制御される。電源部２２１は、制御部７０により画像形成部３０が印刷中の期間以外の期間にオフされるように制御される。電源部２２１がオフされることにより、画像形成装置１の消費電力が削減される。
【００４３】
受信素子２２２は、たとえば差動入力端子を有するスリーステートバッファであり、印刷用画像データを入力する差動入力端子と、印刷用画像データを出力する出力端子と、出力を制御するコントロール端子とを備える。受信素子２２２は、コントロール端子に印加された論理レベルに応じて、差動入力端子に入力された印刷用画像データを出力端子に出力する。本実施形態では、コントロール端子に印加された論理レベルが１のとき差動入力端子に入力された印刷用画像データを出力端子に出力し、コントロール端子に印加された論理レベルが０のとき出力端子をハイインピーダンス状態にする。
【００４４】
以上のとおり構成される本実施形態の画像処理部２０は、画像制御部２１および描画部２２を有し、描画部２２は、画像制御部２１の電源部２１１とは独立にオン／オフ制御される電源部２２１を備える。また、画像処理部２０は、画像制御部２１に設置された送信素子２１３から描画部２２に設置された受信素子２２２へ印刷用画像データを伝送する差動伝送路２３を有する。画像制御部２１は、画像形成部３０が印刷中であるとき印刷用画像データに応じて送信素子２１３から論理レベル０または１を出力する一方で、画像形成部３０が印刷中ではないとき送信素子２１３をハイインピーダンス状態にする。
【００４５】
以下、図３Ａおよび図３Ｂを参照して、画像制御部の動作を説明する。図３Ａは図２に示す画像制御部の動作の一例を説明するためのタイミングチャートであり、図３Ｂは図２に示す画像制御部の動作の他の例を説明するためのタイミングチャートである。
【００４６】
まず、図３Ａを参照して、印刷開始信号および印刷終了信号が印刷画像の１ページに相当する期間毎にアクティブになる場合について説明する。印刷画像の１ページは、垂直同期信号がアクティブになってから次にアクティブになるまでの間の期間に対応する。なお、本実施形態では、水平同期信号および垂直同期信号はローアクティブ（Ｌｏｗ  Ａｃｔｉｖｅ）の信号である。
【００４７】
画像形成部３０が印刷を開始すると、待機状態でオフされていた描画部２２の電源がオンされ、印刷開始信号がアクティブ（論理レベル１）になる。印刷開始信号がアクティブになると、送信制御信号がアクティブ（論理レベル１）になる。送信制御信号は、印刷終了信号がアクティブになるまでアクティブに維持される。送信制御信号がアクティブのとき、水平同期信号のタイミングに合わせて送信素子２１３の差動出力端子から印刷用画像データが出力される。送信制御信号がアクティブになるまでは、送信素子２１３の差動出力端子は、ハイインピーダンス状態である。画像形成部３０が印刷画像を１ページ分印刷すると、印刷終了信号がアクティブになり、送信制御信号は非アクティブ（論理レベル０）になる。送信制御信号が非アクティブになると、送信素子２１３の差動出力端子は、ハイインピーダンス状態になる。そして、描画部２２の電源はオフされ、再び待機状態となる。
【００４８】
次に、図３Ｂを参照して、印刷開始信号および印刷終了信号が印刷画像の１以上のラインに相当する期間毎にアクティブになる場合について説明する。図３Ｂでは、印刷開始信号および印刷終了信号が印刷画像の２ラインに相当する期間毎にアクティブになる場合を示している。印刷画像の１ラインは、水平同期信号がアクティブになってから次にアクティブになるまでの間の期間に対応する。
【００４９】
画像形成部３０が印刷を開始すると、待機状態でオフされていた描画部２２の電源がオンされ、印刷開始信号がアクティブ（論理レベル１）になる。印刷開始信号がアクティブになると、送信制御信号がアクティブ（論理レベル１）になる。送信制御信号は、印刷終了信号がアクティブになるまでアクティブに維持される。送信制御信号がアクティブのとき、水平同期信号のタイミングに合わせて送信素子２１３の差動出力端子から印刷用画像データが出力される。送信制御信号がアクティブになるまでは、送信素子２１３の差動出力端子は、ハイインピーダンス状態である。画像形成部３０が印刷画像を２ライン分印刷すると、印刷終了信号がアクティブになり、送信制御信号は非アクティブ（論理レベル０）になる。送信制御信号が非アクティブになると、送信素子２１３の差動出力端子は、ハイインピーダンス状態になる。そして、描画部２２の電源はオフされ、再び待機状態となる。図３Ｂに示す例では、印刷画像の２ラインに相当する期間毎に送信素子２１３がハイインピーダンス状態になる。
【００５０】
このように、本実施形態では、画像制御部２１は、画像形成部３０が印刷中であるとき印刷用画像データに応じて送信素子２１３から論理レベル０または１を出力する一方で、画像形成部３０が印刷中ではないとき送信素子２１３をハイインピーダンス（Ｈｉ−Ｚ）状態にする。
【００５１】
以上のとおり、説明した本実施形態の画像形成装置１は以下の効果を奏する。
【００５２】
（ａ）画像形成部３０が印刷中ではないとき画像制御部２１は送信素子２１３をハイインピーダンス状態にするので、描画部２２がオフしたときに画像制御部２１から描画部２２へ向けて差動伝送路２３に不要な電流が流れることを確実に防止できる。したがって、描画部２２の受信素子２２２が損傷することを防止できる。また、差動伝送路２３に不要な電流が流れないので、画像形成装置１の消費電力を削減することができる。
【００５３】
（ｂ）画像処理部２０において局所的に構成を追加して画像制御部２１から描画部２２へ向けて差動伝送路２３に不要な電流が流れることを防止するので、待機状態のモジュールの電源を選択的にオフする制御部７０の制御を変更する必要がない。また、従来から画像形成装置１に備わっている既存の信号に基づいて画像形成部３０が印刷中であるか否かを検出するので、新たに追加される構成を小規模に止めることができる。
【００５４】
（第２の実施形態）
第１の実施形態では、描画部の電源部が、画像制御部の電源部が供給する電源電圧とは独立して電源電圧を供給する構成である場合について説明した。一方、第２の実施形態では、描画部の電源部が、画像制御部の電源部が供給する電源電圧をスイッチングすることによって電源電圧を供給する構成である場合について説明する。なお、本実施形態の画像形成装置は、描画部の電源部が、画像制御部の電源部が供給する電源電圧をスイッチングすることによって電源電圧を供給する構成であることを除いて第１の実施形態の画像形成装置の構成と同じある。以下では、説明の重複を避けるため、第１の実施形態の画像形成装置の構成と同じ構成については説明を省略する。
【００５５】
図４は、本発明の第２の実施形態の画像形成装置における画像処理部の機能的な構成を示す概略ブロック図である。
【００５６】
図４に示すとおり、本実施形態では、画像制御部２１の電源部２１１は、画像制御部２１の各構成要素に対して電源ＶＣＣＡおよびＧＮＤＡを供給するだけではなく、描画部２２に電源電圧ＶＣＣＡおよびＧＮＤＡを供給する。
【００５７】
一方、描画部２２の電源部２２１は、スイッチング回路を備え、画像制御部２１から入力した電源電圧ＶＣＣＡおよびＧＮＤＡをスイッチングすることによって、受信素子２２２を含む、描画部２２の各構成要素に対して電源電圧ＶＣＣＡおよびＧＮＤＡを供給する。電源部２２１は、画像制御部２１の電源部２１１とは独立にオン／オフ制御される。電源部２２１は、印刷中の期間以外の期間にオフされるように制御部７０によって制御される。
【００５８】
以上のとおり、説明した本実施形態の画像形成装置１は、第１の実施形態の効果に加えて以下の効果を奏する。
【００５９】
（ｃ）描画部２２の電源部２２１は、画像制御部２１の電源部２１１の電源電圧ＶＣＣＡおよびＧＮＤＡをスイッチングして描画部２２の各構成要素に対して電源電圧を供給するので、電源部２２１の回路構成を簡単化することができる。
【００６０】
以上のとおり、実施形態において、本発明の画像形成装置を説明した。しかしながら、本発明は、その技術思想の範囲内において当業者が適宜に追加、変形、および省略することができることはいうまでもない。
【符号の説明】
【００６１】
１  画像形成装置、
１０  画像読取装置、
２０  画像処理装置、
２１  画像制御部、
２１１  電源部、
２１２  タイミング制御部、
２１３  送信素子、
２１４  送信制御部、
２２  描画部、
２２１  電源部、
２２２  受信素子、
２３  差動伝送路、
３０  画像形成部、
４０  操作部、
５０  表示部、
６０  通信インターフェース、
７０  制御部。
【図１】
2014000693.tif 000003
【図２】
2014000693.tif 000004
【図３Ａ】
2014000693.tif 000005
【図３Ｂ】
2014000693.tif 000006
【図４】
2014000693.tif 000007